(57)【要約】      （修正有）【課題】角パイプ状又は角柱状の回転軸に巻き付けられたシート体の位置ずれを防止できる洗車ブラシを提供する。【解決手段】本洗車ブラシ１は、角パイプ状の回転軸２に巻き付け可能なように弾性材料により形成されているとともに、植毛用穴が形成されたシート体３と、シート体３の表面側に植毛用穴を介して植毛される毛材４と、を備える。そして、シート体３の裏面側には、回転軸２の外周角部２ａのそれぞれに対応する位置に外周角部２ａを保持可能な保持部１５が設けられており、シート体３を回転軸２に巻き付けたときに、保持部１５が外周角部２ａを保持することでシート体３が円筒状に形状保持される。【選択図】図７
0003227709.tif 000002
【実用新案登録請求の範囲】
【請求項１】
角パイプ状又は角柱状の回転軸に取り付けられる洗車ブラシであって、
前記回転軸に巻き付け可能なように弾性材料により形成されているとともに、植毛用穴が形成されたシート体と、
前記シート体の表面側に前記植毛用穴を介して植毛される毛材と、を備え、
前記シート体の裏面側には、前記回転軸の外周角部のそれぞれに対応する位置に該外周角部を保持可能な保持部が設けられており、
前記シート体を前記回転軸に巻き付けたときに、前記保持部が前記外周角部を保持することで前記シート体が円筒状に形状保持されることを特徴とする洗車ブラシ。
【請求項２】
前記保持部は、前記外周角部の頂点を挟む両側から該外周角部を挟持可能な一対の挟持片を備える請求項１に記載の洗車ブラシ。
【請求項３】
前記シート体の裏面側には、前記回転軸の隣り合う前記外周角部の間の中間部に対応する位置に該中間部に当接可能な当接部が設けられている請求項１又は２に記載の洗車ブラシ。
【請求項４】
前記シート体は、厚さ方向に沿う断面において複数の円弧状部が連なる波板状に形成されている請求項１乃至３のいずれか一項に記載の洗車ブラシ。
【請求項５】
前記保持部は、前記外周角部の頂点を挟む両側から該外周角部を挟持可能な一対の挟持片を備え、
前記シート体の裏面側には、前記回転軸の隣り合う前記外周角部の間の中間部に対応する位置に該中間部に当接可能な当接部が設けられており、
前記シート体は、厚さ方向に沿う断面において複数の円弧状部が連なる波板状に形成されており、
前記挟持片は、隣り合う前記円弧状部の連絡部を挟む両側に配置されており、
前記当接部は、隣り合う前記円弧状部の連絡部に配置されている請求項１に記載の洗車ブラシ。
【請求項６】
角パイプ状又は角柱状の回転軸に請求項１乃至５のいずれか一項に記載の洗車ブラシが取り付けられた洗車ブラシの取付構造であって、
前記シート体は、前記回転軸に巻き付けられているとともに、前記保持部が前記外周角部を保持することで円筒状に形状保持されていることを特徴とする洗車ブラシの取付構造。
【考案の詳細な説明】
【技術分野】
【０００１】
本考案は、洗車ブラシ及びその取付構造に関し、更に詳しくは、角パイプ状又は角柱状の回転軸に取り付けられる洗車ブラシ及びその取付構造に関する。
【背景技術】
【０００２】
従来の洗車ブラシとして、海外などで電車の洗車機に使用され、角パイプ状の回転軸に取り付けられるものが知られている。この種の洗車ブラシ１０１の製法としては、例えば、図８及び図９に示されるように、樹脂成型された一対の半割筒体１０３のそれぞれに植毛用穴１０６をドリル等であけ、植毛用穴１０６を介して毛材１０４を植毛した後に一対の半割筒体１０３を接合する製法が知られている。
【０００３】
具体的に、半割筒体１０３の接合面には、軸方向に延びる凸部１１０及び凹部１１１が設けられており、一対の半割筒体１０３の軸方向への相対移動により凸部１１０及び凹部１１１が係合されて両半割筒体１０３が接合される。さらに、一対の半割筒体１０３の内側には枠部１１２が設けられており、両半割筒体１０３が接合されたときに枠部１１２の間に断面正方形の挿通空間Ｓが形成され、その挿通空間Ｓに角パイプ状の回転軸１０２を挿通して回転軸１０２に洗車ブラシ１０１が取り付けられる。
【先行技術文献】
【特許文献】
【０００４】
【特許文献１】実用新案登録第３１４７９８０号公報
【特許文献２】実用新案登録第３２００６４５号公報
【考案の概要】
【考案が解決しようとする課題】
【０００５】
しかし、上記従来の洗車ブラシ１０１では、樹脂成型された一対の半割筒体１０３のそれぞれに植毛用穴１０６をドリル等であけ、植毛用穴１０６を介して毛材１０４を植毛しているので、コストと時間がかかる。
なお、樹脂成型時に半割筒体１０３に植毛用穴１０６を形成することも可能であるが、この場合、成形型が複雑且つ高価な構造となってしまう。
【０００６】
さらに、上記従来の洗車ブラシ１０１では、挿通空間Ｓに回転軸１０２を挿通することで回転軸１０２に洗車ブラシ１０１が取り付けられるので、回転軸１０２に複数の洗車ブラシ１０１が取り付けられている場合、毛材１０４が損傷した所望の洗車ブラシ１０１を交換する際に、他の洗車ブラシ１０１も回転軸１０２から取り外す必要があり、交換作業性が悪い。
【０００７】
ここで、特許文献１及び２には、丸パイプ状の回転軸に巻き付け可能なように弾性材料により形成されるとともに、毛材が植毛されたシート体を備える洗車ブラシが開示されているが、この洗車ブラシを単純に利用しても、角パイプ状の回転軸に巻き付けられたシート体の位置ずれを防止することは困難である。
【０００８】
以上より、本考案は、上記現状に鑑みてなされたものであり、角パイプ状又は角柱状の回転軸に巻き付けられたシート体の位置ずれを防止できるとともに、生産効率及び交換作業性を向上させることができる洗車ブラシ及びその取付構造を提供することを目的とする。
【課題を解決するための手段】
【０００９】
上記問題を解決するために、請求項１に記載の考案は、角パイプ状又は角柱状の回転軸に取り付けられる洗車ブラシであって、前記回転軸に巻き付け可能なように弾性材料により形成されているとともに、植毛用穴が形成されたシート体と、前記シート体の表面側に前記植毛用穴を介して植毛される毛材と、を備え、前記シート体の裏面側には、前記回転軸の外周角部のそれぞれに対応する位置に該外周角部を保持可能な保持部が設けられており、前記シート体を前記回転軸に巻き付けたときに、前記保持部が前記外周角部を保持することで前記シート体が円筒状に形状保持されることを要旨とする。
請求項２に記載の考案は、請求項１に記載の考案において、前記保持部は、前記外周角部の頂点を挟む両側から該外周角部を挟持可能な一対の挟持片を備えることを要旨とする。
請求項３に記載の考案は、請求項１又は２に記載の考案において、前記シート体の裏面側には、前記回転軸の隣り合う前記外周角部の間の中間部に対応する位置に該中間部に当接可能な当接部が設けられていることを要旨とする。
請求項４に記載の考案は、請求項１乃至３のいずれか一項に記載の考案において、前記シート体は、厚さ方向に沿う断面において複数の円弧状部が連なる波板状に形成されていることを要旨とする。
請求項５に記載の考案は、請求項１に記載の考案において、前記保持部は、前記外周角部の頂点を挟む両側から該外周角部を挟持可能な一対の挟持片を備え、前記シート体の裏面側には、前記回転軸の隣り合う前記外周角部の間の中間部に対応する位置に該中間部に当接可能な当接部が設けられており、前記シート体は、厚さ方向に沿う断面において複数の円弧状部が連なる波板状に形成されており、前記挟持片は、隣り合う前記円弧状部の連絡部を挟む両側に配置されており、前記当接部は、隣り合う前記円弧状部の連絡部に配置されていることを要旨とする。
上記問題を解決するために、請求項６に記載の考案は、角パイプ状又は角柱状の回転軸に請求項１乃至５のいずれか一項に記載の洗車ブラシが取り付けられた洗車ブラシの取付構造であって、前記シート体は、前記回転軸に巻き付けられているとともに、前記保持部が前記外周角部を保持することで円筒状に形状保持されていることを要旨とする。
【考案の効果】
【００１０】
本考案の洗車ブラシによると、回転軸に巻き付け可能なように弾性材料により形成されているとともに、植毛用穴が形成されたシート体と、シート体の表面側に植毛用穴を介して植毛される毛材と、を備える。そして、シート体の裏面側には、回転軸の外周角部のそれぞれに対応する位置に該外周角部を保持可能な保持部が設けられており、シート体を回転軸に巻き付けたときに、保持部が外周角部を保持することでシート体が円筒状に形状保持される。これにより、角パイプ状又は角柱状の回転軸に巻き付けられたシート体の位置ずれが防止される。また、柔軟性の高いエラストマー等の弾性材料を用いてなるシート体に予め形成された植毛用穴を介して毛材を植毛できるので、従来のように樹脂成型された一対の半割筒体からなる洗車ブラシに比べて、洗車ブラシの生産効率を向上させることができる。さらに、回転軸に複数の洗車ブラシが取り付けられている場合であっても、毛材が損傷等した所望の洗車ブラシのみを巻き付けを解除して交換できるので、洗車ブラシの交換作業性を向上させることができる。
また、前記保持部が一対の挟持片を備える場合は、一対の挟持片が外周角部の頂点を挟む両側から該外周角部を挟持することで外周角部を更に強固に保持できる。
また、前記シート体の裏面側に当接部が設けられている場合は、当接部が回転軸の隣り合う外周角部の間の中間部に当接することでシート体が更に適正な円筒状に形状保持される。
さらに、前記シート体が波板状に形成されている場合は、シート体を適正な円筒状に形成し易く且つ形状保持し易い。
本考案の洗車ブラシの取付構造によると、シート体は、回転軸に巻き付けられているとともに、保持部が外周角部を保持することで円筒状に形状保持されている。これにより、角パイプ状又は角柱状の回転軸に巻き付けられたシート体の位置ずれが防止される。また、柔軟性の高いエラストマー等の弾性材料を用いてなるシート体に予め形成された植毛用穴を介して毛材を植毛できるので、従来のように樹脂成型された一対の半割筒体からなる洗車ブラシに比べて、洗車ブラシの生産効率を向上させることができる。さらに、回転軸に複数の洗車ブラシが取り付けられている場合であっても、毛材が損傷等した所望の洗車ブラシのみを巻き付けを解除して交換できるので、洗車ブラシの交換作業性を向上させることができる。
【図面の簡単な説明】
【００１１】
本考案について、本考案による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る洗車ブラシを構成するシート体の表面から見た斜視図である。
【図２】シート体の裏面から見た斜視図である。
【図３】図１のＩＩＩ矢視図である。
【図４】図１のＩＶ−ＩＶ線断面図である。
【図５】図４の要部拡大図（毛材が植毛されたシート体）である。
【図６】円筒状のシート体の斜視図である。
【図７】回転軸に取り付けられた洗車ブラシを軸方向から見た側面図である。
【図８】従来の洗車ブラシを構成する一対の半割筒体の斜視図である。
【図９】回転軸に取り付けられた従来の洗車ブラシを軸方向から見た側面図である。
【考案を実施するための形態】
【００１２】
ここで示される事項は例示的なものおよび本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１３】
＜洗車ブラシ＞
本実施形態に係る洗車ブラシは、例えば、図２及び図７等に示すように、角パイプ状又は角柱状の回転軸（２）に取り付けられる洗車ブラシ（１）であって、回転軸（２）に巻き付け可能なように弾性材料により形成されているとともに、植毛用穴（６）が形成されたシート体（３）と、シート体（３）の表面側に植毛用穴（６）を介して植毛される毛材（４）と、を備える。そして、シート体（３）の裏面側には、回転軸（２）の外周角部（２ａ）のそれぞれに対応する位置に該外周角部を保持可能な保持部（１５）が設けられており、シート体（３）を回転軸（２）に巻き付けたときに、保持部（１５）が外周角部（２ａ）を保持することでシート体（３）が円筒状に形状保持される。
【００１４】
回転軸（２）の材質、駆動形態等は特に問わない。この回転軸（２）は、例えば、図７等に示すように、複数の外周角部（２ａ）と、隣り合う外周角部（２ａ）の間の中間部（２ｂ）と、を備えることができる。
【００１５】
シート体（３）の材質、大きさ等は特に問わない。このシート体（３）の弾性材料としては、例えば、ポリエチレンエラストマー等の合成樹脂エラストマー、合成ゴムなどが挙げられる。また、シート体（３）の厚さとしては、例えば、２〜５ｍｍ等が挙げられる。さらに、植毛用穴（４）の大きさ、個数等は特に問わない。
【００１６】
保持部（１５）の形状、大きさ等は特に問わない。この保持部（１５）は、例えば、図７等に示すように、外周角部（２ａ）の頂点を挟む両側から該外周角部を挟持可能な一対の挟持片（１５ａ）を備えることができる。
【００１７】
毛材（４）の材質、大きさ等は特に問わない。この毛材（４）としては、例えば、微発泡又は非発泡の合成樹脂製の線材を束ねたもの、布をジグザグに細長く折り畳んだもの、棒状のスポンジ材等が挙げられる。
【００１８】
本実施形態に係る洗車ブラシとしては、例えば、図２及び図７等に示すように、シート体（３）の裏面側には、回転軸（２）の隣り合う外周角部（２ａ）の間の中間部（２ｂ）に対応する位置に該中間部に当接可能な当接部（１６）が設けられている形態が挙げられる。
【００１９】
本実施形態に係る洗車ブラシとしては、例えば、図３等に示すように、シート体（３）は、厚さ方向に沿う断面において複数の円弧状部（１３）が連なる波板状に形成されている形態が挙げられる。この形態の場合、例えば、挟持片（１５ａ）は、隣り合う円弧状部（１３）の連絡部を挟む両側に配置されていることができる。さらに、例えば、当接部（１６）は、隣り合う円弧状部（１３）の連絡部に配置されていることができる。
【００２０】
＜洗車ブラシの取付構造＞
本実施形態の洗車ブラシの取付構造としては、例えば、図７等に示すように、角パイプ状又は角柱状の回転軸（２）に上述の実施形態に係る洗車ブラシ（１）が取り付けられた洗車ブラシの取付構造であって、シート体（３）は、回転軸（２）に巻き付けられているとともに、保持部（１５）が外周角部（２ａ）を保持することで円筒状に形状保持されている。
【００２１】
なお、上記実施形態で記載した各構成の括弧内の符号は、後述する実施例に記載の具体的構成との対応関係を示すものである。
【実施例】
【００２２】
以下、図面を用いて実施例により本考案を具体的に説明する。なお、本実施例では、四角パイプ状の回転軸２に取り付けられる洗車ブラシ１を例示する（図７参照）。この回転軸２は、４つの外周角部２ａと、隣り合う外周角部２ａの間の中間部２ｂと、を備えている。
【００２３】
（１）洗車ブラシの構成
本実施例に係る洗車ブラシ１は、図７に示すように、以下に述べるシート体３及び毛材４を備えている。この洗車ブラシ１は、回転軸２の軸方向に沿って複数並んで取り付けられる。
【００２４】
シート体３は、図１及び図２に示すように、回転軸２に巻き付け可能な可撓性を有するように弾性材料（例えば、合成樹脂エラストマー等）により形成されている。このシート体３は、平面矩形状に形成されている。また、シート体３には、厚さ方向に貫通した植毛用穴６が多数形成されている。この植毛用穴６は、シート体３の縦方向Ｐ及び横方向Ｑに等間隔で千鳥状に配置されている。また、シート体３の表面には、植毛用穴６を囲むように筒部７が突設されている。なお、シート体３の縦方向Ｐとは、円筒状に形状保持されたシート体３の軸方向と対応する方向を意図し、シート体３の横方向Ｑとは、円筒状に形状保持されたシート体３の円周方向と対応する方向を意図する（図６参照）。
【００２５】
シート体３の表面には、横方向Ｑの一方の縁側に沿って複数（図中３つ）の台座８が突設されている。これら各台座８には、リベット又はネジ９の頭部が受け入れられる（図７参照）。また、各台座８には、リベット又はネジ９の軸部を通す挿通穴８ａが形成されている。また、シート体３の裏面には、横方向Ｑの他方の縁側に沿って延びる突出部１１が突設されている。この突出部１１には、各台座８と対応する位置にリベット又はネジ９の軸部を通す挿通穴１１ａが形成されている。そして、シート体３を回転軸２に巻き付けた状態で、台座８及び突出部１１を介して回転軸２に対してリベット又はネジ９を打ち込む又はねじ込むことで、シート体３が回転軸２に固定される。なお、突出部１１は、後述する当接部１６として機能する。
【００２６】
シート体３は、図３に示すように、厚さ方向に沿う断面において複数（図中８つ）の円弧状部１３が連なる波板状に形成されている。これら各円弧状部１３の曲率半径は、シート体３を回転軸２に巻き付けたときにシート体３が円筒状をなすような値に設定されている（図６参照）。
【００２７】
シート体３の裏面側には、図２及び図３に示すように、回転軸２の外周角部２ａのそれぞれに対応する位置に該外周角部２ａを保持可能な保持部１５が設けられている（図７参照）。この保持部１５は、シート体３と一体に形成されている。また、保持部１５は、シート体３の縦方向Ｐ及び横方向Ｑに沿って複数配置されている。さらに、保持部１５は、回転軸２の外周角部２ａの頂点を挟む両側から該外周角部２ａを挟持可能な一対の挟持片１５ａにより構成されている。この挟持片１５ａは、隣り合う円弧状部１３の連絡部を挟む両側に配置されている。さらに、挟持片１５ａは、シート体３の裏面側に突出する板状に形成されている。
【００２８】
シート体３の裏面側には、図２及び図３に示すように、回転軸２の隣り合う外周角部２ａの間の中間部２ｂに対応する位置に該中間部２ｂに当接可能な当接部１６が設けられている（図７参照）。この当接部１６は、シート体３と一体に形成されている。また、当接部１６は、シート体３の縦方向Ｐ及び横方向Ｑに沿って複数配置されている。また、当接部１６は、隣り合う円弧状部１３の連絡部に配置されている。さらに、当接部１６は、シート体３の裏面側に挟持片１５ａよりも高く突出する板状に形成されている。
【００２９】
なお、シート体３を回転軸２に巻き付けたときに、当接部１６が回転軸２の中間部２ｂに圧接するようにしてもよいが、当接部１６の先端と回転軸２の中間部２ｂとの間に微小な隙間が形成されるようにしてもよい。この微小な隙間は、回転軸２の製作誤差を吸収する機能等を発揮する。
【００３０】
毛材４は、図５に示すように、シート体３の表面側に植毛用穴６を介して植毛されている。この毛材４は、微発泡又は非発泡合成樹脂製の線材を束ねたものである。また、毛材４は、長さ方向に二つ折りにして、中央の折り部を基部として筒部７内に挿入されている。この毛材４の折り部上を跨ぐように植毛用穴６にシート体３の裏面を通って糸１８を導入することで、毛材４の基部が筒部７内に保持される。
【００３１】
（２）洗車ブラシの作用
次に、上記構成の洗車ブラシ１の作用について説明する。図６及び図７に示すように、シート体３を回転軸２に巻き付けてリベット又はネジ９により回転軸２に固定する。このとき、一対の挟持片１５ａが回転軸２の外周角部２ａの頂点の両側から該外周角部２ａを挟持（保持）するとともに、当接部１６が回転軸２の中間部２ｂに当接することで、シート体３が適正な円筒状に形状保持される。そのため、シート体３の表面側で毛材４が略均等な放射状で立ち上がり、効果的な洗車を行うことができる。また、回転軸２に取り付けられた複数の洗車ブラシ１のうちで、毛材４が損傷した洗車ブラシ１の巻き付けを解除することで、その洗車ブラシ１のみを回転軸２から取り外して交換する。
【００３２】
（３）実施例の効果
本実施例の洗車ブラシ１によると、回転軸２に巻き付け可能なように弾性材料により形成されているとともに、植毛用穴６が形成されたシート体３と、シート体３の表面側に植毛用穴６を介して植毛される毛材４と、を備える。そして、シート体３の裏面側には、回転軸２の外周角部２ａのそれぞれに対応する位置に該外周角部２ａを保持可能な保持部１５が設けられており、シート体３を回転軸２に巻き付けたときに、保持部１５が外周角部２ａを保持することでシート体３が円筒状に形状保持される。これにより、角パイプ状の回転軸２に巻き付けられたシート体３の位置ずれが防止される。また、柔軟性の高いエラストマー等の弾性材料を用いてなるシート体３に予め形成された植毛用穴６を介して毛材４を植毛できるので、従来のように樹脂成型された一対の半割筒体からなる洗車ブラシに比べて、洗車ブラシ１の生産効率を向上させることができる。さらに、毛材４が損傷等した所望の洗車ブラシ１のみを巻き付けを解除して交換できるので、洗車ブラシ１の交換作業性を向上させることができる。
【００３３】
また、本実施例では、保持部１５は一対の挟持片１５ａを備える。これにより、一対の挟持片１５ａが外周角部２ａの頂点を挟む両側から該外周角部２ａを挟持することで外周角部２ａを更に強固に保持できる。
【００３４】
また、本実施例では、シート体３の裏面側には当接部１６が設けられている。これにより、当接部１６が回転軸２の隣り合う外周角部２ａの間の中間部２ｂに当接することでシート体３が更に適正な円筒状に形状保持される。
【００３５】
さらに、本実施例では、シート体３は波板状に形成されている。これにより、シート体３を適正な円筒状に形成し易く且つ形状保持し易い。
【００３６】
尚、本考案においては、上記実施例に限られず、目的、用途に基づいて本考案の範囲内で種々変更した実施例とすることができる。即ち、上記実施例では、中空の角パイプ状の回転軸２に取り付けられる洗車ブラシ１を例示したが、これに限定されず、例えば、中実の角柱状の回転軸２に取り付けられる洗車ブラシ１としてもよい。
【００３７】
また、上記実施例では、回転軸２の外周角部２ａを挟持する一対の挟持片１５ａを備える保持部１５を例示したが、これに限定されず、例えば、外周角部２ａに嵌合する凹部を有する保持部１５としてもよい。
【００３８】
また、上記実施例では、回転軸２の中間部２ｂ毎に１つの当接部１６を備える形態を例示したが、これに限定されず、例えば、回転軸２の中間部２ｂ毎に２以上の当接部１６を備えるようにしてもよい。さらに、例えば、当接部１６を備えないシート体３を採用してもよい。
【００３９】
また、上記実施例では、波板状のシート体３を例示したが、これに限定されず、例えば、平板状又は湾曲板状のシート体３としてもよい。
【００４０】
さらに、上記実施例では、リベット又はネジ９で回転軸２にシート体３を取り付ける形態を例示したが、これに限定されず、例えば、ベルト又はワイヤーなどを巻き付けて締め付けることで回転軸２にシート体３を取り付けるようにしてもよい。
【００４１】
本考案は上記で詳述した実施形態に限定されず、本考案の請求項に示した範囲で様々な変形または変更が可能である。
【産業上の利用可能性】
【００４２】
本考案は、列車（電車等）、自動車などを洗車する洗車機に用いられる洗車ブラシに関する技術として広く利用される。
【符号の説明】
【００４３】
１；洗車ブラシ、２；回転軸、２ａ；外周角部、２ｂ；中間部、３；シート体、４；毛材、１３；円弧状部、１５；保持部、１５ａ；挟持片、１６；当接部。
【図１】
0003227709.tif 000003
【図２】
0003227709.tif 000004
【図３】
0003227709.tif 000005
【図４】
0003227709.tif 000006
【図５】
0003227709.tif 000007
【図６】
0003227709.tif 000008
【図７】
0003227709.tif 000009
【図８】
0003227709.tif 000010
【図９】
0003227709.tif 000011